(57)【要約】【課題】画像形成装置の紙詰まり発生箇所を容易に認識でき、除去操作が簡単に案内できる操作案内表示装置を提供する。【解決手段】画像形成装置に付されたタグに基づいて視方向を検出する視方向検出部１７０と、画像形成装置から入力されたメンテナンス要求イベントの発生に基づいて、像形成装置の内部構造を模擬する映像オブジェクトと紙詰まり位置を示す付加映像オブジェクトを重畳した視方向に対応する映像を生成するオブジェクト生成部１８０と、生成された映像を投影表示部１６７を介してスクリーン１００に表示するオブジェクト表示部１８５を備える。【選択図】図５
2008201101.tif 000002
【特許請求の範囲】
【請求項１】
対象物に付されたタグに基づいて視方向を検出する視方向検出部と、対象物の内部構造を模擬する複数の基準映像オブジェクトを記憶するオブジェクト記憶部と、前記基準映像オブジェクトから前記視方向検出部により検出された視方向に対応する映像オブジェクトを生成するオブジェクト生成部と、生成された映像オブジェクトをスクリーンに表示するオブジェクト表示部を備えて構成される操作案内表示装置であって、
前記タグが画像形成装置の各部に付され、前記オブジェクト記憶部に前記画像形成装置の内部構造を模擬する基準映像オブジェクトとメンテナンスに対応する付加映像オブジェクトが格納され、前記オブジェクト生成部は前記画像形成装置から入力されたメンテナンス要求イベントの発生に基づいて、当該メンテナンス要求イベントに対応する付加映像オブジェクトを重畳した映像オブジェクトを生成する操作案内表示装置。
【請求項２】
前記メンテナンス要求イベントは、画像形成装置で検出された紙詰まり発生情報であり、前記付加映像オブジェクトは紙詰まり標識オブジェクトである請求項１記載の操作案内表示装置。
【請求項３】
前記付加映像オブジェクトが操作位置を示す操作オブジェクトである請求項２記載の操作案内表示装置。
【発明の詳細な説明】
【技術分野】
【０００１】
本発明は、生成された映像オブジェクトをスクリーンに表示するオブジェクト表示部を備えた操作案内表示装置に関する。
【背景技術】
【０００２】
従来、複合機やプリンタなどの画像形成装置において、紙詰まりが発生すると、前記画像形成装置は停止し、ユーザが前記画像形成装置の通紙経路に詰まった用紙を取り除く必要があった。前記画像形成装置の表示に紙詰まりの位置と処理方法を表示する手段は提案されているが、ユーザは、前記表示に従い用紙を取り除く操作を行っても、詰まっている用紙や通紙経路に残っている用紙を見つけることができず、前記表示方法では、一般のユーザにとって用紙が詰まっている場所や用紙が留まっている場所から用紙を取り除く方法は解り辛いという問題があった。
【０００３】
そこで、特許文献１では、複写機筐体の内部には、ドアの開閉を検知するドア開閉検知装置を配置し、ドアの内側面には、ジャム処理方法を説明する透光性のデカルを貼り、ジャム検出兼ジャム位置検出装置でジャムが検知されると、デカルの裏側でドアに設けた照明装置、ＬＥＤが点灯し、デカル中のジャム位置およびジャム処理方法表示が照明され、作業者は要作業箇所を容易に認識できる画像形成装置が提案されている。
【０００４】
さらに、特許文献２では、取り外し可能な操作部、操作部の位置を把握するために、必要個所に設置された位置情報受信装置と、位置情報受信装置より位置情報を受け取り操作部の位置を判断するための判断手段と、操作部位置に応じた情報を操作部装置に表示するための表示手段と、機器の手動操作の状況を判断するための処理装置と、操作部位置情報を判断しそれに応じた表示処理を行う表示手段と、手動操作の状況を判断するための判断手段とを持つことを特徴とする印刷処理装置が提案されている。
【０００５】
【特許文献１】特開２００１−２４７２３５号公報
【特許文献２】特開２００６−２３１６７５号公報
【発明の開示】
【発明が解決しようとする課題】
【０００６】
しかし、上述した特許文献１に記載の画像形成装置では、表示できる情報量に限りがあり、近年、多機能化された複合機においては、紙詰まりの発生する可能性のある箇所も多くなり、表示できる情報量が少ないため処理方法が解りづらいという問題点があった。また、上述した特許文献２に記載の印刷処理装置では、前記表示手段に処理装置全体を表示しているため、紙詰まりしている位置が十分把握できるような大きさのディスプレイが必要となり、前記印刷処理装置自体の大きさが非常に大きくなってしまうという問題点があった。
【０００７】
さらに、ユーザは、紙詰まりが発生している箇所の紙を取り除くことができても、通紙経路に他の用紙が残留し、紙詰まりが解消してもエラーは解除されないとき、残留している用紙を容易に発見できないため、エラーを解除することができないという問題点もあった。また、通紙経路に用紙が残留した状態で画像形成装置が復旧してしまうと、用紙が残留した箇所で更なる紙詰まりが発生してしまい、前記画像形成装置の内部の機器を破損させてしまう虞もあった。
【０００８】
本発明は、上述した従来の問題点に鑑み、画像形成装置の紙詰まり発生箇所を容易に認識でき、除去操作が簡単に案内できる操作案内表示装置を提供する点にある。
【課題を解決するための手段】
【０００９】
上述の目的を達成するため、本発明による操作案内表示装置の第一の特徴構成は、特許請求の範囲の書類の請求項１に記載した通り、対象物に付されたタグに基づいて視方向を検出する視方向検出部と、対象物の内部構造を模擬する複数の基準映像オブジェクトを記憶するオブジェクト記憶部と、前記基準映像オブジェクトから前記視方向検出部により検出された視方向に対応する映像オブジェクトを生成するオブジェクト生成部と、生成された映像オブジェクトをスクリーンに表示するオブジェクト表示部を備えて構成される操作案内表示装置であって、前記タグが画像形成装置の各部に付され、前記オブジェクト記憶部に前記画像形成装置の内部構造を模擬する基準映像オブジェクトとメンテナンスに対応する付加映像オブジェクトが格納され、前記オブジェクト生成部は前記画像形成装置から入力されたメンテナンス要求イベントの発生に基づいて、当該メンテナンス要求イベントに対応する付加映像オブジェクトを重畳した映像オブジェクトを生成する点にある。
【００１０】
前記視方向検出手段により、前記画像形成装置に付された複数のタグの配置に基づいて視方向、つまり、どの方向より画像形成装置を見ているかが検出される。前記画像形成装置を見ている方向が検出されると、オブジェクト生成部によりオブジェクト記憶部に記憶されている基準映像オブジェクトに基づいて前記視方向に対応する映像オブジェクトが生成され、オブジェクト表示部に表示される。前記オブジェクト記憶部は、メンテナンスに対応する付加映像オブジェクトが格納されており、メンテナンス要求イベントが発生したとき、前記オブジェクト表示部に前記映像オブジェクトに重畳して付加映像オブジェクトが表示されるため、オペレータは、メンテナンスを必要とするイベントが発生したとき、スクリーンに表示される映像を一見してメンテナンスの必要な箇所を正確に把握することができる。さらに、内部の構造を把握することができるため、メンテナンスに必要な操作を容易に行うことができる。
【００１１】
同第二の特徴構成は、同請求項２に記載した通り、上述の第一の特徴構成に加えて、前記メンテナンス要求イベントは、画像形成装置で検出された紙詰まり発生情報であり、付加映像オブジェクトは紙詰まり標識オブジェクトである点にある。
【００１２】
上述の構成によれば、前記画像形成装置において紙詰まりが発生したとき、前記オブジェクト表示部に紙詰まりが発生した箇所を紙詰まり標識オブジェクトとして表示することができるため、ユーザは、紙詰まり及び残留した用紙が存在する箇所を正確に把握することができる。さらに、ローラ等の内部の構造を基準映像オブジェクトとしてオブジェクト表示部に表示される場合には、機器操作に不慣れなユーザであっても、ユーザは紙詰まり及び用紙の残留している箇所を一見して把握することができ、さらに、紙詰まりの用紙を取り除くための処理に必要な操作を容易におこなうことができる。
【００１３】
同第三の特徴構成は、同請求項３に記載した通り、上述の第二の特徴構成に加えて、前記付加映像オブジェクトが操作位置を示す操作オブジェクトである点にある。
【００１４】
上述の構成によれば、スクリーンに表示された操作オブジェクトの映像に基づいて紙詰まりの除去のための操作を容易に行なうことができる。
【発明の効果】
【００１５】
以上説明した通り、本発明によれば、画像形成装置の紙詰まり発生箇所を容易に認識でき、除去操作が簡単に案内できる操作案内表示装置を提供することができるようになった。
【発明を実施するための最良の形態】
【００１６】
以下に本発明による操作案内表示装置について説明する。操作案内表示装置１５０は、図１に示すように、画像形成装置の一例であるデジタル複合機１に組み込まれている。当該複合機１は、液晶表示部やハードウェアキー等が配置された操作部１０と、原稿載置部にセットされた一連の原稿を順次読込んで電子データに変換する画像読取部１２と、変換された原稿の画像データを出力画像データに変換生成する画像処理部１６と、画像処理部１６により生成された出力画像データに基づいて感光体上にトナー像を形成する電子写真方式の画像形成部１３と、画像形成部１３に供給する用紙が収容された給紙カセット１４等を備えて構成され、上述した各機能ブロックを統括制御するシステム制御部１５を備えている。複合機１の化粧パネル表面には操作案内表示装置１５０に用いられる複数のタグ１０１が付されている。
【００１７】
前記給紙カセット１４に収容された用紙は、図２に示すように、給紙ローラ１３１よりピックアップされ、複数の搬送ローラ対１３３で搬送ベルト１３４に搬送され、搬送ベルト１３４上の転写位置で感光体１３０に形成されたトナー画像が転写された後に定着ローラ１３２により加熱定着され、排紙ローラ１３５によって装置外に排出されるように構成されている。
【００１８】
前記給紙ローラ１３１、前記搬送ローラ１３３、転写位置、前記定着ローラ１３２、及び、前記排紙ローラ１３４の前後の所定箇所に紙詰まりを検知するセンサ（図示せず）を備えて構成され、システム制御部１５により所定時間内に所定のセンサにより用紙が検出されないとき、或いは通過しないと判断されたときに紙詰まりが発生したと検出され、装置が停止されるとともに操作部１０に紙詰まり除去表示が行なわれる。
【００１９】
前記操作案内表示装置１５０は、図５に示すように、左右一対の半透明スクリーン１００を配したゴーグル１６０と、ゴーグル１６０に取り付けられた小型カメラ１６５及び投影装置１６７を備えて構成され、前記小型カメラ１６５の映像データからゴーグル１６０を装着したオペレータの視方向を検出する視方向検出部１７０と、複合機１の内部構造、詳しくは、給紙ローラや搬送ローラや定着ローラ等の用紙搬送パスに存在する搬送エレメントを三次元モデルで模擬する複数の基準映像オブジェクトを記憶するオブジェクト記憶部１７５と、前記基準映像オブジェクトから前記視方向検出部１７０により検出された視方向に対応する映像オブジェクトを生成するオブジェクト生成部１８０と、生成された映像オブジェクトを前記スクリーン１００に表示するオブジェクト表示部１８５を備えて構成され、オブジェクト生成部１８０は前記システム制御部１５に接続されている。
【００２０】
オペレータがゴーグル１６０を装着して複合機１を目視したときに、ゴーグルに設けられた小型カメラ１６５により撮像された映像データが前記視方向検出部１７０に入力され、前記視方向検出部１７０では映像データに含まれる複合機１に付された複数のタグ１０１の位置情報に基づいて、オペレータの視方向を検出する。各タグ１０１は複合機１の予め設定された位置に大きさまたは色等を異ならせて配置され、それらの相互の距離や角度から位置関係を演算してオペレータの視方向を算出するのである。
【００２１】
前記オブジェクト記憶部１７５には、上述の基準映像オブジェクトに加えてメンテナンスに対応する付加映像オブジェクトが格納されている。付加映像オブジェクトには、三次元モデルにより紙詰まり位置を示す紙詰まり標識オブジェクトと、詰まった紙を除去するために操作する必要のある搬送エレメントに対する操作位置を二次元モデルで示す操作オブジェクトが含まれる。
【００２２】
前記オブジェクト生成部１８０は、前記複合機１から入力されたメンテナンス要求イベントの一例である紙詰まりの発生に基づいて、当該メンテナンス要求イベントに対応する付加映像オブジェクトを重畳した映像オブジェクトを生成する。
【００２３】
詳述すると、紙詰まりが発生したときに、オペレータがゴーグル１６０を装着して複合機１を見ると、前記オブジェクト生成部１８０は、視方向検出部１７０により検出された視方向に対応して、オブジェクト記憶部１７５に格納されている基準映像オブジェクトから当該視方向に対応するように角度を変えた映像オブジェクトを生成するとともに、システム制御部１５から入力された紙詰まり発生位置情報から対応する映像オブジェクトの位置に紙詰まり標識オブジェクト及び操作オブジェクトを重畳させた映像オブジェクトを生成する。具体的には所定位置に配置された複数の基準映像オブジェクト等を視方向に対応した二次元空間にレンダリング処理する。
【００２４】
前記オブジェクト表示部１８５は、前記オブジェクト生成部１８０で生成された映像オブジェクトを前記半透明のスクリーン１００に投影表示装置１６７を介して投影表示する。オペレータは、ゴーグル１６０を介して目視した複合機１に、レンダリング処理された搬送エレメント及び紙詰まり標識が重畳表示されるため、拡張現実感（Ａｕｇｍｅｎｔｅｄ  Ｒｅａｌｉｔｙ）が得られる。従って、外部から見辛い箇所で紙詰まりが生じても、スクリーン１００に表示される紙詰まり標識オブジェクトに基づいて容易に紙詰まり位置を認識することが可能となる。その際に、スクリーン１００に表示される操作オブジェクトに基づいて紙詰まりの処理を行なうことも可能となる。
【００２５】
具体的に紙を除去するためには、装置の扉を開放操作して、給紙部や定着部に配置されているローラ対の圧着状態を解除レバーにより解除したり、ローラを回すためのノブを回転操作する必要がある。操作オブジェクトは、そのような操作位置を映像上に表示することにより紙の除去操作手順を案内するように表示される。
【００２６】
操作すべきレバーやノブを案内表示するために、前記視方向検出部１７０には、前記小型カメラ１６５の映像データを解析してオペレータの操作状況を判断し、操作順に沿って表示される操作オブジェクトを選択する操作案内処理部が設けられており、前記オブジェクト生成部１８０は操作案内処理部により選択された操作オブジェクトがレンダリング処理される。
【００２７】
尚、前記オブジェクト表示部１８５から出力される映像信号を表示する投影表示装置１６７に替えて小型液晶ディスプレイ装置等任意の表示デバイスを用いることができることはいうまでもない。
【００２８】
紙詰まりが発生した場合、前記ゴーグル１６０を装着することにより、オペレータは、図３（ａ）に示す複合機の映像を、図３（ｂ）に示すように、前記半透明のスクリーン１００を透過して見える実際の映像である複合機１（点線）と、前記ゴーグル１６０に備えられた投影装置１６５により表示される前記生成オブジェクトより生成された前記基準映像オブジェクトから当該視方向に対応するように角度を変えた映像オブジェクトである搬送エレメント（実線）と、付加映像オブジェクトである紙詰まり位置を示す紙詰まり標識オブジェクト（斜線部）とを重畳した複合機の映像として目視することができる。
【００２９】
上述の構成によると、紙詰まりの位置を確実に把握することができるため、ユーザは紙詰まりの用紙を取り除くための処理に必要な操作を容易に把握することができる。
【００３０】
さらに、操作する必要のある搬送エレメントに対する操作位置を、例えば、点灯させ表示するなどの操作オブジェクトとして示すことにより、容易に紙詰まりの用紙を取り除くことができる。
【００３１】
以下、別実施形態を説明する。上述の実施形態では、紙詰まりが発生した場合について説明したが、トナー交換や、ローラの劣化等のメンテナンスが必要な場合において操作案内をおこなう操作案内表示装置であってもよい。
【００３２】
上述の実施形態では、前記操作案内表示装置を複合機に使用したものを説明したが、ＦＡＸ、または、プリンタなどメンテナンスが必要な装置に使用してもよい。
【００３３】
上述の実施形態では、操作案内表示装置は立体的に重畳した映像オブジェクトを表示するものを説明したが、図４に示すように、前記複数タグを前記複合機１の正面のみに配置し、前記複合機１を正面から見た平面で表示されるよう構成されてもよい。
【００３４】
上述の実施形態では、前記給紙ローラ１３１、前記搬送ローラ１３３、定着位置、前記定着ローラ１３２、及び、前記排紙ローラ１３５に紙詰まりを検知するセンサを備えたものを説明したが、前記センサは前記ローラ等に限らず紙詰まりの発生する可能性のある箇所に設けるように構成してもよい。
【００３５】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００３６】
【図１】複合機の説明図
【図２】本実施例における記録紙通紙経路の説明図
【図３】本実施例における操作案内表示装置の説明図
【図４】本実施例における操作案内表示装置の説明図
【図５】本実施例における操作案内表示装置の説明図
【符号の説明】
【００３７】
１：複合機
１３：画像出力部
１４：給紙カセット
１００： スクリーン
１０１：タグ
１３０：感光体
１３１：給紙ローラ
１３２：転写ローラ
１３３：搬送ローラ
１３４：搬送ベルト
１３５：排紙ローラ
【図１】
2008201101.tif 000003
【図２】
2008201101.tif 000004
【図３】
2008201101.tif 000005
【図４】
2008201101.tif 000006
【図５】
2008201101.tif 000007